(57)【要約】【課題】凹凸がある場所であっても仮設道路を築造でき、且つ仮設道路を築造した場所の土壌に影響を与えることなく仮設道路を築造できる土のうを用いた仮設道路築造方法を提供すること。【解決手段】道路２及び道路３よりも低い場所に土のう７を用いて仮設道路１４を築造する土のうを用いた仮設道路築造方法であって、前記仮設道路１４を築造する仮設道路築造予定地１に、当該仮設道路築造予定地１よりも大きいシート１０を敷設した後、前記仮設道路築造予定地１の範囲内で前記シート１０上に土のう７を敷き並べる敷き並べ作業を繰り返し行って前記道路２と略等しい高さとなるように前記土のう７を積み重ね、積み重ねた土のう７全体の側面を覆うように前記シート１０の周縁を上方に折り曲げる。【選択図】      図６ 
2005133405.tif 000002
【特許請求の範囲】
【請求項１】
道路よりも低い場所に土のうを用いて仮設道路を築造する土のうを用いた仮設道路築造方法であって、
前記仮設道路を築造する仮設道路築造予定地に、該仮設道路築造予定地よりも大きいシートを敷設した後、前記仮設道路築造予定地の範囲内で前記シート上に土のうを敷き並べる敷き並べ作業を繰り返し行って前記道路と略等しい高さとなるように前記土のうを積み重ね、積み重ねた土のう全体の側面を覆うように前記シートの周縁を上方に折り曲げることを特徴とする土のうを用いた仮設道路築造方法。
【請求項２】
前記仮設道路築造予定地に凹凸面が形成されている場合に、該仮設道路築造予定地の凹部に土のうを敷き並べて凸部の上面と前記凹部に敷き並べた土のうにより平面を形成した後に、該平面上に前記土のうの敷き並べ作業を行うことを特徴とする請求項１記載の土のうを用いた仮設道路築造方法。
【請求項３】
前記土のうの中詰め材が、砂であることを特徴とする請求項１又は２記載の土のうを用いた仮設道路築造方法。
【発明の詳細な説明】
【技術分野】
【０００１】
本発明は、土のうを用いた仮設道路築造方法に関し、詳しくは、道路よりも低い田や畑に道路と略等しい高さとなるように土のうを積み重ねて仮設道路を築造する土のうを用いた仮設道路築造方法に関するものである。
【背景技術】
【０００２】
図７に示すように、上面及び下面が直角二等辺三角形に形成された複数の床盤５１をヒンジ装置５２を介して着脱自在且つ上下方向に回動自在に連結するとともに、各床盤５１の頂点を土のう５３で支持することにより構成された仮設道路５４がある（例えば、特許文献１参照。）。
【０００３】
この仮設道路５４では、各々の床盤５１同士がヒンジ装置５２を介して上下方向に回動可能に連結されているため、地盤が沈下した場合など一方の床盤５１がヒンジ装置５２を介して他方の床盤５１に対して上下方向に回動して傾斜するため、床盤５１間に段差ができるのを防止することができる。
【特許文献１】特開平１０−１２１４０５号公報
【発明の開示】
【発明が解決しようとする課題】
【０００４】
しかしながら、上記の仮設道路５４を例えば畑のような畝と谷によって凹凸が形成されているような場所に築造する場合、各床盤５１の頂点にあたる部分を土のう５３で安定して支持することができないという問題点がある。
【０００５】
また、土のう５３の土のう袋が破れて中詰め材が流出した場合、床盤５１を安定して支持できないだけでなく、仮設道路５４を築造した場所の土壌に悪影響を及ぼすおそれがある。
【０００６】
本発明は、かかる課題に鑑みてなされたものであり、凹凸がある場所であっても仮設道路を築造でき、且つ仮設道路を築造した場所の土壌に影響を与えることなく仮設道路を築造できる土のうを用いた仮設道路築造方法を提供することを目的とする。
【課題を解決するための手段】
【０００７】
請求項１記載の土のうを用いた仮設道路築造方法は、道路よりも低い場所に土のうを用いて仮設道路を築造する土のうを用いた仮設道路築造方法であって、前記仮設道路を築造する仮設道路築造予定地に、該仮設道路築造予定地よりも大きいシートを敷設した後、前記仮設道路築造予定地の範囲内で前記シート上に土のうを敷き並べる敷き並べ作業を繰り返し行って前記道路と略等しい高さとなるように前記土のうを積み重ね、積み重ねた土のう全体の側面を覆うように前記シートの周縁を上方に折り曲げることを特徴としている。
【０００８】
請求項２記載の土のうを用いた仮設道路築造方法は、請求項１に記載の土のうを用いた仮設道路築造方法において、前記仮設道路築造予定地に凹凸面が形成されている場合に、該仮設道路築造予定地の凹部に土のうを敷き並べて凸部の上面と前記凹部に敷き並べた土のうにより平面を形成した後に、該平面上に前記土のうの敷き並べ作業を行うことを特徴としている。
【０００９】
請求項３記載の土のうを用いた仮設道路築造方法は、請求項１又は２記載の土のうを用いた仮設道路築造方法において、前記土のうの中詰め材が、砂であることを特徴としている。
【発明の効果】
【００１０】
請求項１に記載の土のうを用いた仮設道路築造方法によれは、土のうを積み重ねることにより盛土を行って仮設道路を築造するため、盛土が仮設道路を築造した場所の土と混合されることなく仮設道路を築造することができ、仮設道路の築造により土壌に影響を与えるのを防止することができる。また、万が一土のう袋が破れて中詰め材が外部に流出した場合でも、積み重ねられた土のうがシートによって土壌と縁切りされているので、盛土が土と混合されてしまうのを確実に防止することができる。そのため、田や小川などの水が張られているような場所であっても仮設道路を築造することが可能である。
【００１１】
請求項２に記載の土のうを用いた仮設道路築造方法によれば、例えば畑のように畝と谷によって凹凸が形成されている場所に仮設道路を築造する場合に、畝を破壊することなく仮設道路を築造することができる。また、この土のうを用いた仮設道路築造方法によって築造された仮設道路を撤去する場合、盛土の手掘りなどを行う必要がないため、畝を破壊することなく仮設道路を容易に撤去することができる。
【００１２】
請求項３に記載の土のうを用いた仮設道路築造方法によれば、例えば水田に築造した仮設道路の土のうの撤去作業などにおいて、あやまって土のう袋から中詰め材が水田に流出してしまったとしても、水田の水質や稲に影響を与えることがないという利点がある。
【発明を実施するための最良の形態】
【００１３】
以下、本発明の実施の形態に係る土のうを用いた仮設道路築造方法について、図面に基づいて説明する。図１は、土のうを用いた仮設道路築造方法によって仮設道路を築造する仮設道路築造予定地１、道路２、道路３、及び住宅等を建築する建築予定地４の関係を示したものである。道路２と建築予定地４との間に位置する仮設道路築造予定地１は、本実施の形態においては道路２、道路３、及び建築予定地４と段差ｈがある畑である。この仮設道路築造予定地１に道路２や建築予定地４と略等しい高さとなるように仮設道路を築造する方法について以下で説明する。
【００１４】
この畑である仮設道路築造予定地１には、畝（凸部）５と谷部（凹部）６によって凹凸面が形成されている。このように凹凸面が形成された仮設道路築造予定地１に敷き並べる土のう７を用意する。この土のう７は、図２に示すように、土のう袋８に図外の中詰め材を所定量投入して紐９で縛ることにより形成されたものである。ここで、土のう袋８に投入する中詰め材は、土やこれに類するものであれば特に限定されるものではなく、例えばクラッシャラン、砕石、まき土、砂質土等を用いることができる。なお、中詰め材として仮設道路築造予定地１の土壌と同じ砂を用いることにより、万が一、土のう７から中詰め材が流出した場合でも、仮設道路築造予定地１の土壌に影響を与えるのを防止することができる。また、この土のう袋８に入れる中詰め材の量を調整することにより、土のう７を配置した際の土のう７の高さを調整することが可能である。
【００１５】
このようにして仮設道路を築造するために必要な数だけ土のう７を用意しておき、まず始めに仮設道路築造予定地１の表面全体を覆うようにシート１０を敷設する。このシート１０は、仮設道路築造予定地１の土と土のう７との縁切りをするためのものであり、撥水性を有するものである。また、このシート１０は、後に説明するがシート１０の上に複数層積み重ねられた土のう７全体の側面を覆うようにその周縁が上方に折り曲げられるため、このことを考慮して仮設道路築造予定地１よりも広くなるように形成されたものを用いることとする。
【００１６】
続いて、仮設道路築造予定地１の範囲内でシート１０の上に土のう７を敷き並べる。ここで、この仮設道路築造予定地１である畑には、上記の通り畝５と谷部６とによって凹凸面が形成されている。したがって、ここでは図３に示すように、畝５と畝５の間の谷部６のシート１０の上に一層目の土のう７を敷き並べる。なおこの際、畝５の上面と谷部６に敷き並べられた一層目の土のう７によって平面が形成されるように、敷き並べた土のう７を上方からプレートランマで３回程度転圧する。
【００１７】
このようにして谷部６に一層目の土のう７を敷き並べて、畝５の上面と谷部６に敷き並べられた土のう７とによって平面を形成した後、図４に示すように、この平面上に二層目の土のう７をバランスよく敷き並べる敷き並べ作業を行う。この二層目の土のう７の敷き並べ作業が完了した後、土のう７同士の隙間に例えばクラッシャランなどの目詰め材１１を撒き出す。この目詰め材１１の撒き出し作業が完了した後、土のう７が損傷しないように注意して二層目の土のう７をプレートランマにて転圧する。このとき、敷き並べた土のう７の高さが等しくなるようにレベル管理を行いながら転圧作業を行う。
【００１８】
以降、二層目の土のう７の敷き並べ作業から転圧作業までの作業を繰り返し行って、道路２や建築予定地４の地面と略等しい高さとなるように土のう７を積み重ねる。図５は、このようにして積み重ねられた土のう７を示した図である。図示するように、道路２及び建築予定地４の底面と略等しい高さとなるように土のう７が積み重ねられている。なお、土のう７を積み重ねる際に、その端部が側方に突出するような場合には、中詰め材の量を半分にした調整用土のう１２を用いて調整し、また各層の土のう７の積み重ねは、荷重分散を効率よく行うために、調整用土のう１２を用いて千鳥配置となるように行う。
【００１９】
このようにして土のう７の積み重ね作業が完了した後、一層目の土のう７を敷き並べる前に仮設道路築造予定地１に敷設したシート１０を積み重ねた土のう７全体の側面を全て覆うように上方に折り曲げる。そして最後に、上方に折り曲げたシート１０を更に折り曲げ、シート１０の周縁を固定するとともに、最上層の土のう７の上面を覆うように鉄板１３を敷き並べて作業を完了する。なお、鉄板１３に代えてゴムシートを敷き並べるようにしてもよい。
【００２０】
図６は、上記の作業により築造された仮設道路１４の断面形状を示したものである。畝５と畝５の間の谷部６を埋めるように、一層目の土のう７が敷き並べられて畝５の上面と一段目の土のう７によって平面が形成された後、二層目以降の土のう７が道路２、道路３、及び建築予定地４とほぼ同じ高さまで積み重ねられた後、その上面に鉄板１３が配置されている。このようにして築造された仮設道路１４を介して、道路２又は道路３から建築資材を運搬する車両等が建築予定地４に進入できるようになっている。なお、畝５と畝５の間の谷部６に一層目の土のう７を敷き並べることにより、二層目以降の土のう７を積み重ねたことによりその荷重が畝５に集中して畝５を破壊してしまうのを防止することができる。また、土のう７を積み重ねて形成された仮設道路１４は、その底面及び側面がシート１０によって覆われ、最上層の土のう７の上面は鉄板１３によって覆われている。したがって、例え土のう袋８が破損して中詰め材が外部に流出したとしても、中詰め材が畑の土と混合されて土壌に悪影響を及ぼすのを防止することができる。また、紫外線等による土のう袋８の劣化を防止することができる。
【００２１】
なお、仮設道路１４の撤去作業は、まず仮設道路１４の上面の鉄板１３を撤去し、続けて積み重ねた土のう７を一層ずつ撤去する。この土のう７には上記の通り紐９がついているため、この紐９をクレーンのフックに引っ掛け、複数の土のう７をまとめて撤去することが可能である。そして、積み重ねた土のう７を全て撤去すると、土のう７と土のう７の隙間に撒き出した目詰め材１１がシート１０上に飛散するため、この目詰め材１１がシート１０の外に流出して畑の土と混合されないように注意しながらシート１０を撤去する。また、撤去した土のう７やシート１０は撤去後も再利用が可能であり、土のう袋８が劣化した場合でも中詰め材は再利用できる。
【００２２】
以上説明した土のうを用いた仮設道路築造方法によって仮設道路１４を築造する場所は、畑に限定されるものではなく、例えば田や小川などであってもよく、凹凸面の有無に関わらず様々な場所に築造することができる。また、この仮設道路１４は、その底面及び側面がシート１０によって覆われているため、水が張られている時期の田にも築造することが可能である。なお、小川に築造する場合には、複数のシート１０を所定の間隔を隔てて敷設して土のう７を積み重ねることにより、水路を確保しながら仮設道路１４を築造することが可能である。また、本実施の形態においては、地面の高さが等しい道路２と建築予定地４との間の畑に土のう７を用いて仮設道路１４を築造する場合について説明したが、例えば、建築予定地４が道路２よりも高い位置にある場合には、建築予定地４側に積み重ねる土のう７の数を道路２側よりも多くすることにより、傾斜をつけた仮設道路１４を築造することも当然可能である。
【産業上の利用可能性】
【００２３】
道路よりも低い田、畑、小川などの場所に仮設道路を築造する場合に適用可能である。
【図面の簡単な説明】
【００２４】
【図１】土のうを用いた仮設道路築造方法により仮設道路を設置する仮設道路築造予定地を示した図である。
【図２】仮設道路を築造するための土のうを示した図である。
【図３】畝と畝の間の谷に敷き並べられた一層目の土のうを示した図である。
【図４】二層目の土のうが敷き並べられた仮設道路築造予定地を示した図である。
【図５】道路及び建築予定地と同じ高さまで敷き並べられた土のうを示した斜視図である。
【図６】仮設道路の概略断面図である。
【図７】従来の仮設道路を示した図である。
【符号の説明】
【００２５】
１    仮設道路築造予定地
２、３    道路
４    建築予定地
５    畝
６    谷部
７    土のう
８    土のう袋
１０    シート
１２  調整用土のう
１４    仮設道路
【図１】
2005133405.tif 000003
【図２】
2005133405.tif 000004
【図３】
2005133405.tif 000005
【図４】
2005133405.tif 000006
【図５】
2005133405.tif 000007
【図６】
2005133405.tif 000008
【図７】
2005133405.tif 000009